【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
像を担持する像担持体と、前記像担持体に静電潜像を形成する潜像形成手段と、前記静電潜像に現像剤を供給して現像すると共に、前記像担持体上の残留現像剤を同時に除去する現像清掃手段と、前記現像清掃手段により顕像化された前記像担持体上の現像剤像を被転写材に転写させる転写手段と、前記潜像形成手段により静電潜像を形成するために前記像担持体に電荷を与える帯電手段とを有する画像形成装置において、
前記転写手段と前記帯電手段との間に、前記残留している現像剤を散らす現像剤散らし手段を備えることを特徴とする画像形成装置。
【請求項２】
前記現像剤散らし手段に、弾性部材により構成された少なくとも２個以上の帯状板を有し、前記帯状板の長手方向のエッジ部分が像担持体表面と当接し、前記像担持体の軸線方向に対して任意角度を設けて、かつ一定間隔を持って隣接配置された散らし部材を備え、前記像担持体上に残留している現像剤をかき取ることを特徴とする請求項１記載の画像形成装置。
【請求項３】
前記現像剤散らし手段に、散らし部材の像担持体回転方向に対する下流側に配置され、前記散らし部材のエッジ部分でかき取られ帯状板の稜線に沿って移動してきた現像剤の塊をまき散らす拡散部材を備え、前記像担持体上に残留している現像剤をかき取り，まき散らすことを特徴とする請求項２記載の画像形成装置。
【請求項４】
前記現像剤散らし手段に、散らし部材の像担持体回転方向に対する上流側に配置され、前記散らし部材でかき取られた現像剤の落下を防止する落下防止部材を備えたことを特徴とする請求項２または３記載の画像形成装置。
【請求項５】
前記散らし部材を、像担持体の軸線方向に往復移動させる手段を備えたことを特徴とする請求項１記載の画像形成装置。
【請求項６】
前記散らし部材を、像担持体の軸線方向に往復駆動する駆動源を備えたことを特徴とする請求項５記載の画像形成装置。
【請求項７】
前記散らし部材を、像担持体の回転により前記像担持体の軸線方向に往復駆動する手段を備えたことを特徴とする請求項５記載の画像形成装置。
【請求項８】
前記散らし部材を、帯電手段における帯電ローラの回転により像担持体の軸線方向に往復駆動する手段を備えたことを特徴とする請求項５記載の画像形成装置。
【請求項９】
像を担持する像担持体と、前記像担持体に静電潜像を形成する潜像形成手段と、前記静電潜像に現像剤を供給して現像すると共に、前記像担持体上の残留現像剤を同時に除去する現像清掃手段と、前記現像清掃手段により顕像化された前記像担持体上の現像剤像を被転写材に転写させる転写手段と、前記潜像形成手段により静電潜像を形成するために前記像担持体に電荷を与える帯電手段とを有する画像形成装置において、
前記帯電手段における帯電ローラを像担持体の軸線方向に往復移動させる手段を備えたことを特徴とする画像形成装置。
【請求項１０】
前記帯電ローラを、像担持体の軸線方向に往復駆動させる駆動源を備えたことを特徴とする請求項９記載の画像形成装置。
【請求項１１】
前記帯電ローラを、像担持体の回転により前記像担持体の軸線方向に往復駆動させる手段を備えたことを特徴とする請求項９記載の画像形成装置。
【請求項１２】
前記帯電ローラを、ブラシ状のローラとしたことを特徴とする請求項９〜１１のいずれか１項に記載の画像形成装置。
【請求項１３】
前記ブラシ状のローラにおける、ブラシ先端部分を球形の形状としたことを特徴とする請求項１２記載の画像形成装置。
【請求項１４】
前記ブラシ状のローラにおける、ブラシ先端部分をループ形の形状としたことを特徴とする請求項１２記載の画像形成装置。
【請求項１５】
前記ブラシ状のローラにおける、ブラシ先端部分をカギ形の形状としたことを特徴とする請求項１２記載の画像形成装置。
【請求項１６】
前記ブラシを、ブラシ先端部分を切断したままの円筒形の通常形状と、球形，ループ形，カギ形とした異形状とを混在してブラシ先端部分を形成したことを特徴とする請求項１２記載の画像形成装置。
【請求項１７】
前記ブラシにおける、ブラシ先端部分を切断したままの円筒形の通常形状と、前記ブラシ先端部分を球形，ループ形，カギ形とした異形状との割合を７：３としたことを特徴とする請求項１６記載の画像形成装置。
【請求項１８】
前記ブラシにおける、通常形状のブラシの長さを、異形状のブラシより長くしたこと特徴とする請求項１６または１７記載の画像形成装置。
【請求項１９】
前記現像清掃手段と前記転写手段と前記帯電手段を、前記像担持体の外周に等間隔で配置したことを特徴とする請求項１〜１８のいずれか１項に記載の画像形成装置。
【請求項２０】
前記転写手段の電位Ａ、前記現像剤散らし手段の電位Ｂ、前記現像清掃手段の電位Ｃとしたとき、条件：Ａ＞Ｃ＞Ｂを満足することを特徴とする請求項１記載の画像形成装置。
【請求項２１】
前記転写手段の電位Ａ、前記帯電手段の電位Ｂ、前記現像清掃手段の電位Ｃとしたとき、条件：Ａ＞Ｃ＞Ｂを満足することを特徴とする請求項１記載の画像形成装置。
【請求項２２】
前記現像剤散らし手段に、交流電圧が印加されることを特徴とする請求項１記載の画像形成装置。
【請求項２３】
前記現像剤散らし手段および前記帯電手段に、交流電圧が印加されることを特徴とする請求項１記載の画像形成装置。
【手続補正２】
【補正対象書類名】明細書
【補正対象項目名】０００７
【補正方法】変更
【補正の内容】
【０００７】
【課題を解決するための手段】
この目的を達成するために、本発明における画像形成装置の請求項１に係る発明は、像を担持する像担持体と、像担持体に静電潜像を形成する潜像形成手段と、静電潜像に現像剤を供給して現像すると共に、像担持体上の残留現像剤を同時に除去する現像清掃手段と、現像清掃手段により顕像化された像担持体上の現像剤像を被転写材に転写させる転写手段と、潜像形成手段により静電潜像を形成するために像担持体に電荷を与える帯電手段とを有する画像形成装置において、転写手段と帯電手段との間に、残留している現像剤を散らす現像剤散らし手段を備える構成によって、現像剤散らし手段により像担持体上の残留現像剤をかき取り，まき散らすことができ、残留現像剤が像担持体上に静電潜像の形成を阻害することなく、さらに残留現像剤が多くても現像清掃手段により回収することができ、異常画像の発生を抑えることができる。
【手続補正３】
【補正対象書類名】明細書
【補正対象項目名】００１３
【補正方法】変更
【補正の内容】
【００１３】
また、請求項１９に係る発明は、前記現像清掃手段と前記転写手段と前記帯電手段を、前記像担持体の外周に等間隔で配置した構成によって、像担持体への負荷が均等に分散され、像担持体に掛かる変形量が極小化されて、形成画像に生じるフレなどの現象が回避され、異常画像の発生を防ぐことができる。
また、請求項２０〜２３に係る発明は、前記転写手段の電位Ａ、前記現像剤散らし手段の電位Ｂ、前記現像清掃手段の電位Ｃとしたとき、条件：Ａ＞Ｃ＞Ｂを満足すること、または、前記転写手段の電位Ａ、前記帯電手段の電位Ｂ、前記現像清掃手段の電位Ｃとしたとき、条件：Ａ＞Ｃ＞Ｂを満足すること、さらに、前記現像剤散らし手段に、交流電圧が印加されること、または、前記現像剤散らし手段および前記帯電手段に、交流電圧が印加される構成によって、担持体上の残留現像剤をより確実にかき取り，まき散らすことができ、異常画像の発生を防ぐことができる。
【手続補正４】
【補正対象書類名】明細書
【補正対象項目名】００１６
【補正方法】変更
【補正の内容】
【００１６】
トナーの補給ローラ４により、先の現像ローラ３にトナータンク内のトナーを供給し、またアジテータ５は、トナータンク内のトナーを撹拌して固まるのを防ぐと同時に、トナーの偏りも防止している。さらに、現像ブレード６によって、現像ローラ３上のトナー層厚を一定の厚みに規制すると共に、トナーに電荷を与える。トナー散らし手段７は、感光体１上の転写残トナーをかき取り、まき散らして残トナーの層厚が均一になるようにしている。転写ローラ８は、先の感光体１上に形成されたトナー像を記録紙へ転写する役割をする。
【手続補正５】
【補正対象書類名】明細書
【補正対象項目名】００２６
【補正方法】変更
【補正の内容】
【００２６】
前述の実施の形態１で説明した処理とほぼ同様であるが、感光体１と当接する散らし部材７ｂを駆動源１４により回転駆動されるカム１３を介して、ホルダ１１を感光体１の軸線方向に揺動する。これにより、感光体１上の転写残トナーの散らし能力が向上し、特に罫線等の細いライン画像（感光体の周方向の画像）の残トナーを散らす効果を得ることができる。
【手続補正６】
【補正対象書類名】明細書
【補正対象項目名】図面の簡単な説明
【補正方法】変更
【補正の内容】
【図面の簡単な説明】
【図１】
本発明の実施の形態１における画像形成装置の概略構成を示す側断面図
【図２】
（ａ）はトナー散らし手段の概略構成、（ｂ）は帯状板にエッジ部分を設けた散らし部材を示す斜視図
【図３】
（ａ）はトナー散らし手段と感光体と接する部分の側面、（ｂ）は正面図
【図４】
本発明の実施の形態２における実施例１のトナー散らし手段の概略構成を示す部分斜視図
【図５】
トナー散らし手段を揺動させる機構を示す分解斜視図
【図６】
本発明の実施の形態２における実施例２のトナー散らし手段の分解斜視図
【図７】
本発明の実施の形態２における実施例２の他のトナー散らし手段の分解斜視図
【図８】
本発明の実施の形態３における帯電ブラシローラを駆動する手段を示す斜視図
【図９】
（ａ）は本発明の実施の形態３における他の帯電ブラシローラを駆動する手段を示す斜視図、（ｂ）は側面図
【図１０】
本発明の実施の形態４における感光体と帯電ブラシローラを示す部分側面図
【図１１】
（ａ）は本実施の形態４におけるブラシ状先端部を異形状の球形の形状、（ｂ）はブラシ状先端部をループ形の形状、（ｃ）はブラシ状先端部をカギ形の形状とした帯電ブラシローラの部分斜視図
【図１２】
通常形状のブラシ状先端部と異形状の先端部とを混合した構成を示す図
【図１３】
ブラシ状先端部が通常形状のブラシとブラシ先端部が異形状のブラシの長さを示す図
【符号の説明】
１  感光体
２  帯電ブラシローラ
２′  通常形状ブラシ
２ａ，２ａ′  球形ブラシ
２ｂ  ループ形ブラシ
２ｃ  カギ形ブラシ
３  現像ローラ
４  補給ローラ
５  アジテータ
６  現像ブレード
７  トナー散らし手段
７ａ，７ｂ  散らし部材
８  転写ローラ
９ａ  拡散部材
９ｂ  落下防止部材
１０  ケース
１０ａ，１０ｂ  ガイド
１０ｃ，１１ｃ，１８ａ  凸部
１１  ホルダ
１１ａ  端部
１１ｂ，１７ａ  ピン
１２  付勢手段
１３  カム
１４  駆動源
１５  ガイド溝
１６  凹部
１７  軸受
１８  軸
【手続補正７】
【補正対象書類名】図面
【補正対象項目名】図４
【補正方法】変更
【補正の内容】
【図４】
2002311754.tif 000001